(57)【要約】【課題】複数の緑化ボード１，１，…を設置面上に載置した状態でも、簡単な潅水システムで、複数の緑化ボード１，１，…の木質繊維板２に対し同時に定常的に給水できるようにする。【解決手段】緑化ボード１は、裏面にパイプ溝４が形成された木質繊維板２と、この木質繊維板２裏面のパイプ溝４内に収容されかつ両端部に接続部８，９が設けられ、木質繊維板２内に給水するための潅水パイプ７とを備えたものとする。この潅水パイプ７端部の接続部８，９を隣り合う緑化ボード１の潅水パイプ７端部の接続部９，８と接続することで、両緑化ボード１，１，…同士を通水状態で連結可能とする。【選択図】図７
2012223158.tif 000002
【特許請求の範囲】
【請求項１】
片面にパイプ溝が形成された木質繊維板と、
上記木質繊維板片面のパイプ溝内に収容されかつ両端部に接続部が設けられ、木質繊維板内に給水するための潅水パイプとを備え、
上記潅水パイプ端部の接続部を隣り合う緑化ボードの潅水パイプ端部の接続部と接続することで、両緑化ボード同士が通水状態で連結可能とされていることを特徴とする緑化ボード。
【請求項２】
請求項１において、
木質繊維板におけるパイプ溝のある片面に親水層が形成されていることを特徴とする緑化ボード。
【請求項３】
請求項１又は２において、
パイプ溝のある片面は木質繊維板の表面であることを特徴とする緑化ボード。
【請求項４】
請求項１又は２において、
パイプ溝のある片面は木質繊維板の裏面であることを特徴とする緑化ボード。
【請求項５】
請求項４において、
木質繊維板の裏面に、パイプ溝を通りかつ木質繊維板の異なる２辺に連通する連通溝が設けられていることを特徴とする緑化ボード。
【請求項６】
請求項１〜５のいずれか１つの複数の緑化ボードが、各々の潅水パイプ端部の接続部を隣り合う緑化ボードの潅水パイプ端部の接続部に接続することで通水状態で連結され、
上記各緑化ボード上に土壌層が形成されていることを特徴とする緑化システム。
【請求項７】
請求項３の複数の緑化ボードが、各々の潅水パイプ端部の接続部を隣り合う緑化ボードの潅水パイプ端部の接続部に接続することで通水状態で連結され、
上記各緑化ボードの表面にパイプ保護シート層が設けられ、該パイプ保護シート層の表面に直接植物が植生されていることを特徴とする緑化システム。
【請求項８】
請求項４又は５の複数の緑化ボードが、各々の潅水パイプ端部の接続部を隣り合う緑化ボードの潅水パイプ端部の接続部に接続することで通水状態で連結され、
上記各緑化ボードの木質繊維板の表面に直接植物が植生されていることを特徴とする緑化システム。
【発明の詳細な説明】
【技術分野】
【０００１】
本発明は、植物が生育される緑化ボード及びそれを備えた緑化システムに関する。
【背景技術】
【０００２】
近年、植物を育生するための緑化ボード及びそれを備えた緑化システムが、ＣＯ２吸収や省エネルギー化等の環境向上を図る手段として注目されている。緑化システムは、例えば建物の屋上等に設置されるが、その設置場所に加わる荷重を低減するために、軽量化することが望まれている。
【０００３】
そこで、不織布やフェルトのような樹脂繊維をマット状に成形した保水用ボードが提案されており、土壌の一部を軽量な保水用ボードに置き換える試みが行われている。そして、保水用ボードの上に載積された土壌層において、例えば芝草等の植物を生育するようにしている。
【０００４】
しかし、上記保水用ボードは樹脂繊維からなるため、その保水用ボード自体を廃棄する際に多量のＣＯ２が排出されるという問題がある。さらに、上記保水用ボードには芝草等の根が入り込んでしまうため、例えば芝草の一部を他の植物に入れ替えるような場合には、保水用ボードごと芝草を取り外し、新たな保水用ボードと共に他の植物を設置する必要がある。この芝草の根が入り込んだ保水用ボードは、産業廃棄物として埋め立て処理しなければならず、環境配慮の観点で問題がある。
【０００５】
また、上記保水用ボードは、樹脂繊維によって構成されているので、保水性に優れるものの、不必要に水分を保持してしまう問題も有している。例えば、降雨等により大量の水が保水用ボードに供給されたときには、長期にわたって水溜りのような状態が続いてしまうこととなる。
【０００６】
一方、吸水ポリマーを含有する保水板によって、大量に供給された水を内部に保持することも提案されている。この保水板では、保水した水の蒸散を抑制できるが、吸水ポリマーに保持されている水分を植物が直接に利用できないため、合理的とはいえない。
【０００７】
これに対し、特許文献１では、木質繊維板の全体に界面活性剤を添加し、保水性（親水性）を向上させた植物栽培用の保水資材が提案されている。この保水資材によれば、植物が保水された水分を直接に利用することができる。
【先行技術文献】
【特許文献】
【０００８】
【特許文献１】特開２００９−１８３１７７号公報
【発明の概要】
【発明が解決しようとする課題】
【０００９】
ところで、上記従来の特許文献１の植栽用保水資材において、その複数を設置面上に載置して緑化するとき、各保水資材に潅水パイプを利用して水を定常的に供給することが必要となる。そして、複数の保水部材に同時に給水するために、各保水部材を個別に潅水装置に接続しようとすると、潅水システムが大掛かりな構造になってしまうという問題がある。
【００１０】
本発明の目的は、保水性を有する木質繊維板を備え、板植物が生育される緑化ボードの構造に工夫を加えることにより、複数の緑化ボードを設置面上に載置した状態でも、簡単な潅水システムで、複数の緑化ボードの木質繊維板に対し同時に定常的に給水できるようにすることにある。
【課題を解決するための手段】
【００１１】
上記の目的を達成するために、この発明では、木質繊維板の片面（表面又は裏面）に溝部を形成して、その内部に、両端部に接続部を有する潅水パイプを収容し、隣り合う緑化ボードの潅水パイプ同士を接続部で接続するようにした。
【００１２】
具体的には、第１の発明の緑化ボードは、片面にパイプ溝が形成された木質繊維板と、この木質繊維板片面のパイプ溝内に収容されかつ両端部に接続部が設けられ、木質繊維板内に給水するための潅水パイプとを備え、この潅水パイプ端部の接続部を隣り合う緑化ボードの潅水パイプ端部の接続部と接続することで、両緑化ボード同士が通水状態で連結可能とされていることを特徴とする。
【００１３】
この第１の発明では、緑化ボードは木質繊維板を備え、その木質繊維板が保水している水分により、緑化ボードの表面側において植物を生育することが可能になる。また、この植物の生育に伴い木質繊維板に植物の根が絡んでいたとしても、廃棄する際には当該植物の根と共に木質繊維板を燃焼して廃棄することが可能となり、環境への負荷が容易に低減される。
【００１４】
また、木質繊維板の片面のパイプ溝に、両端部に接続部を有する潅水パイプが収容され、この潅水パイプ端部の接続部を隣り合う緑化ボードの潅水パイプ端部の接続部と接続して、両緑化ボード同士が通水状態で連結可能となっているので、複数の緑化ボードを並べて設置し、それらに潅水するときには、各緑化ボードの木質繊維板に内有されている潅水パイプを隣り合う緑化ボードにおける同様の潅水パイプに両潅水パイプ端部の接続部で接続すれば、複数の緑化ボードの潅水パイプが一連に連続することとなり、その連続した潅水パイプに通水することで、各緑化ボードの木質繊維板内に給水される。このことで、最小限の数の潅水装置で複数の緑化ボードを潅水することができ、潅水システムがコンパクトになる。
【００１５】
しかも、潅水パイプは木質繊維板に形成したパイプ溝内に収容され、その端部の接続部のみが木質繊維板の外に露出するので、潅水パイプが隠蔽され、外観見映えを高めることができる。
【００１６】
さらに、各緑化ボード毎に潅水パイプが木質繊維板のパイプ溝に収容された状態で具備され、それらを接続するだけで潅水システムができ上がるので、その施工が容易になる。
【００１７】
第２の発明の緑化ボードは、第１の発明の緑化ボードにおいて、木質繊維板におけるパイプ溝のある片面に親水層が形成されていることを特徴とする。
【００１８】
この第２の発明では、木質繊維板の片面にパイプ溝と親水層とが形成されているので、パイプ溝内の潅水パイプから供給される水が親水層を経て木質繊維板内に浸入することとなり、木質繊維板全体を速やかに親水性にすることができる。
【００１９】
また、第３の発明では、第１又は第２の発明の緑化ボードにおいて、パイプ溝のある片面は木質繊維板の表面とする。一方、第４の発明では、同様に、パイプ溝のある片面は木質繊維板の裏面とする。
【００２０】
これら第３及び第４の発明でも、上記第１の発明と同様の作用効果を奏することができる。特に、第４の発明では、潅水パイプは木質繊維板裏面に形成したパイプ溝内に収容されので、潅水パイプが隠蔽され、外観見映えを高めることができる。
【００２１】
第５の発明では、第４の発明の緑化ボードにおいて、木質繊維板の裏面に、パイプ溝を通りかつ木質繊維板の異なる２辺に連通する連通溝が設けられていることを特徴とする。
【００２２】
この第５の発明では、木質繊維板の裏面に木質繊維板の異なる２辺間に亘って延びる連通溝が形成され、この連通溝は同じ裏面に位置するパイプ溝を通っているので、潅水パイプからパイプ溝内に供給された水はパイプ溝だけでなく連通溝にも流れて、木質繊維板の辺の連通溝側端部に案内され、木質繊維板の裏面側を速やかに保水することが可能になる。よって、木質繊維板の裏面側から水を十分に供給して、その保水性を大幅に高めることが可能となる。
【００２３】
第６の発明の緑化システムは、第１〜第５のいずれか１つの発明の複数の緑化ボードが、各々の潅水パイプ端部の接続部を隣り合う緑化ボードの潅水パイプ端部の接続部に接続することで通水状態で連結され、上記各緑化ボード上に土壌層が形成されていることを特徴とする。
【００２４】
この第６の発明では、複数の緑化ボードは、各々の潅水パイプ端部の接続部を隣り合う緑化ボードの潅水パイプ端部の接続部に接続することで通水状態で連結され、その各緑化ボード上に土壌層が形成されているので、表面に植物が植生される土壌層が配置され、その下側に保水用の木質繊維板が設けられた、潅水システムの簡略な緑化システムが得られる。
【００２５】
第７の発明の緑化システムは、第３の発明の複数の緑化ボードが、各々の潅水パイプ端部の接続部を隣り合う緑化ボードの潅水パイプ端部の接続部に接続することで通水状態で連結され、上記各緑化ボードの表面にパイプ保護シート層が設けられ、該パイプ保護シート層の表面に直接植物が植生されていることを特徴とする。
【００２６】
この第７の発明では、複数の緑化ボードは、各々の潅水パイプ端部の接続部を隣り合う緑化ボードの潅水パイプ端部の接続部に接続することで通水状態で連結され、その各緑化ボード表面上のパイプ保護シート層の表面に直接植物が植生されているので、表面に植物が植生されるパイプ保護シート層が配置され、その下側に保水用の木質繊維板が設けられた、潅水システムの簡略な緑化システムが得られる。
【００２７】
また、潅水パイプが木質繊維板表面のパイプ溝に収容されて該木質繊維板表面に剥き出しになっていても、それはパイプ保護シート層によって覆われることとなり、潅水パイプを保護することができる。
【００２８】
第８の発明の緑化システムは、第４又は第５の発明の複数の緑化ボードが、各々の潅水パイプ端部の接続部を隣り合う緑化ボードの潅水パイプ端部の接続部に接続することで通水状態で連結され、上記各緑化ボードの木質繊維板の表面に直接植物が植生されていることを特徴とする。
【００２９】
この第８の発明では、複数の緑化ボードは、各々の潅水パイプ端部の接続部を隣り合う緑化ボードの潅水パイプ端部の接続部に接続することで通水状態で連結され、その各緑化ボードの木質繊維板の表面に直接植物が植生されているので、表面に植物が植生されかつ裏面に潅水パイプが配置された木質繊維板を有する、潅水システムの簡略な緑化システムが得られる。
【００３０】
また、木質繊維板自体に植物が植生するので、土壌層等が不要であり、軽量な緑化システムとなる。
【発明の効果】
【００３１】
以上説明したように、第１、第３又は第４の発明によると、表面に植物が植栽される緑化ボードとして、吸水性を有する木質繊維板の片面にパイプ溝を形成して、その内部に、両端部に接続部材を有する潅水パイプを収容し、その潅水パイプの接続部を隣り合う緑化ボードの潅水パイプの接続部に接続可能としたことにより、緑化ボードを廃棄する際の環境への負荷の低減を図るとともに、最小限の数の潅水装置で複数の緑化ボードを潅水することができ、潅水システムのコンパクト化及びその施工の容易化を図ることができる。
【００３２】
第２の発明によると、木質繊維板におけるパイプ溝のある片面に親水層を形成したことにより、パイプ溝内の潅水パイプから供給される水により、木質繊維板全体を速やかに親水性にすることができる。
【００３３】
第５の発明によると、木質繊維板の裏面にパイプ溝と共に、そのパイプ溝を通りかつ木質繊維板の異なる２辺に連通する連通溝を形成したことにより、潅水パイプからの水をパイプ溝だけでなく連通溝にも流して木質繊維板の裏面側を速やかに保水でき、木質繊維板の裏面側から水を十分に供給して、その保水性を大幅に高めることができる。
【００３４】
第６の発明の緑化システムによると、複数の緑化ボードを、各々の潅水パイプ端部の接続部を隣り合う緑化ボードの潅水パイプ端部の接続部に接続することで通水状態で連結し、各緑化ボード上に土壌層を形成したことにより、表面に植物が植生される土壌層が配置され、その下側に保水用の木質繊維板が設けられた、潅水システムの簡略な緑化システムが得られる。
【００３５】
第７の発明の緑化システムによると、木質繊維板の表面に潅水パイプが配置された複数の緑化ボードを、各々の潅水パイプ端部の接続部を隣り合う緑化ボードの潅水パイプ端部の接続部に接続することで通水状態で連結し、各緑化ボードの表面上のパイプ保護シート層の表面に直接植物を植生したことにより、表面に植物が植生されるパイプ保護シート層が配置され、その下側に保水用の木質繊維板が設けられた、潅水システムの簡略な緑化システムが得られるとともに、潅水パイプが木質繊維板の表面に剥き出しになっていても、その潅水パイプをパイプ保護シート層によって保護することができる。
【００３６】
第８の発明によると、木質繊維板の裏面に潅水パイプが配置された複数の緑化ボードを、各々の潅水パイプ端部の接続部を隣り合う緑化ボードの潅水パイプ端部の接続部に接続することで通水状態で連結し、各緑化ボードの木質繊維板の表面に直接植物を植生したことにより、表面に植物が植生されかつ裏面に潅水パイプが配置された木質繊維板を有する、潅水システムの簡略なかつ軽量な緑化システムが得られる。
【図面の簡単な説明】
【００３７】
【図１】図１は、本発明の実施形態１に係る第１緑化ボードを表面側から見た斜視図である。
【図２】図２は第１緑化ボードを裏面側から見た平面図である。
【図３】図３は実施形態１に係る第２緑化ボードを示す図１相当図である。
【図４】図４は第２緑化ボードを示す図２相当図である。
【図５】図５は木質繊維板の構造を示す断面図である。
【図６】図６は、実施形態１に係る緑化ボードを複数設置して形成された緑化システムを示す斜視図である。
【図７】図７は、緑化システムにおける複数の緑化ボードの間の潅水パイプの接続状態を示すために一部の緑化ボードを裏面側から見た平面図である。
【図８】図８は、緑化システムの緑化ボード表面に植物が植栽された状態を示す斜視図である。
【図９】図９は緑化システムの構造を部分的に示す概略断面図である。
【図１０】図１０は実施形態１に係る緑化ボードの変形例を示す図１相当図である。
【図１１】図１１は実施形態１に係る緑化ボードの変形例を示す図２相当図である。
【図１２】図１２は、本発明の実施形態２に係る第１緑化ボードを表面側から見た斜視図である。
【図１３】図１３は実施形態２に係る第１緑化ボードを表面側から見た平面図である。
【図１４】図１４は実施形態２に係る第２緑化ボードを示す図１２相当図である。
【図１５】図１５は実施形態２に係る第２緑化ボードを示す図１３相当図である。
【図１６】図１６は、実施形態２に係る緑化ボードを複数設置して形成された緑化システムの構造を示す図９相当図である。
【発明を実施するための形態】
【００３８】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３９】
［実施形態１］
（緑化ボード）
図１〜図１１において、１は本発明の実施形態１に係る矩形状の緑化ボードであって、この緑化ボード１を図６及び図７に示すように複数マトリクス状に連結して後述する設置対象体１２上に設置することで緑化システムが構成される。
【００４０】
上記緑化ボード１は、その表面上の土壌層１７に植物Ｐ（図８及び図９参照）が植栽されるものであり、矩形状の木質繊維板２と、この木質繊維板２の裏面に、後述するパイプ溝４に収容された状態で一体的に組み付けられた潅水パイプ７とを備えている。本実施形態では、緑化ボード１は少なくとも第１及び第２の２種類の緑化ボード１Ａ，１Ｂからなり（尚、種類を特定しない緑化ボードの符号を「１」とすることがある）、これらは上記木質繊維板２裏面のパイプ溝４の配置形状が異なっている。
【００４１】
（木質繊維板）
上記木質繊維板２は、表面（上面）側に植物Ｐが植生されるもので吸水性を有する。この木質繊維板２は、例えば比重０．０５〜０．３５のもの（インシュレーションボード等）が使用される。木質繊維板２の比重が、０．０５未満であると、上を歩行するための積載荷重が不足するだけでなく、保水量も少なくなる一方、０．３５を越えると、比重が高すぎて植物Ｐの根の活着性が悪くなる（根が入り難くなる）からである。
【００４２】
また、木質繊維板２の厚みは例えば１０〜２５ｍｍが望ましい。木質繊維板２の厚みが、１０ｍｍ未満であると、その保水量が不足する一方、２５ｍｍを越えると、不必要にコストアップするからである。木質繊維板２の大きさは、特に限定されないが、この実施形態では９０ｃｍ×９０ｃｍのものが用いられている。
【００４３】
これにより、同じ厚みの土壌に比べ優れた保水性を確保しつつ、極めて軽く、屋上緑化を始め、どのような場所にも設置可能な緑化システムを提供することができる。例えば比重０．２、厚み１１ｍｍの木質繊維板２であれば、１０〜１２ｋｇ／ｍ２程度の吸水量が期待できる。
【００４４】
木質繊維板２の保水性を向上させる方法としては、製造時の抄造スラリーにワックス等の撥水性を発現するものを添加しない方法が最も好適である。また、製造時に界面活性剤を抄造スラリーに添加したり、製造された木質繊維板２の表面に界面活性剤をスプレー塗布したりする方法が考えられる。このような木質繊維板２に水を接触させて保水状態の保水ボードとし、それに植物Ｐを植生する。
【００４５】
また、一般的に市販されている撥水性を有する木質繊維板２も使用できる。この場合、木質繊維板２は、比重０．０５〜０．３５のいわゆるインシュレーションボードが好適に用いられる。インシュレーションボードとは、長繊維の木質繊維をバインダーやワックスと共に湿式抄造して板状に成形した木質繊維板である。一般的なインシュレーションボードは、耐水性を向上させるために、ワックスが内添されており、多少の水かかってもそれをはじく性能を有している。従って、界面活性剤等を使用し、インシュレーションボードの濡れ性を向上させて保水状態とする。このような界面活性剤としては、例えば（株）ハイポネックスジャパン社製の「ワターイン」（登録商標）や「ワターインキレート」（商品名）等が挙げられる。
【００４６】
具体的には、界面活性剤を含む水に木質繊維板２を浮かべたり漬けたりする。木質繊維板２を浮かべると、水が接した部分から徐々に保水されていく。この場合、木質繊維板２を完全な保水状態としてもよいが、木質繊維板２が完全に保水状態となると、例えば９０ｃｍ×９０ｃｍ等の大きな板を施工する場合、強度が弱くなってハンドリングが悪くなるだけでなく、完全に保水状態とするためには、かなりの時間を要する。従って、少なくとも表層部を界面活性剤を含む水により保水状態としておき、保水状態となった面を上向きに施工し、施工後に保水部分に水を供給することで、施工状態で完全な保水状態となるようにするのが好ましい。
【００４７】
つまり、撥水性を有する木質繊維板２に界面活性剤を含む水を接触させ、少なくとも表層部に親水層を形成して保水ボードとする。例えば、施工前の木質繊維板２は、図５（ａ）に示すように、表面のみに親水層２ａがパイプ溝４と木質繊維板２の厚み方向で部分的に重なるように形成されていてもよい（他は撥水層２ｂである）。或いは図５（ｂ）に示すように、木質繊維板２の周囲全体が親水層２ａとなり、その内側部分が撥水層２ｂとなるように形成してもよい。また、界面活性剤により木質繊維板２の表面又は裏面に親水層２ａを形成し、その後に乾燥させてもよいし、親水層２ａのない木質繊維板２を載置した後に表面からじょうろ等で、界面活性剤を含む水を散布してもよい。木質繊維板２は、表面側に植物Ｐが植生されるので、少なくとも表面に親水層２ａが形成されていることが必要である。また、木質繊維板２の裏面にも親水層２ａを形成しておけば、後述するように、潅水パイプ７からの水や木質繊維板２の表裏面に亘る貫通孔からの水等、木質繊維板２の裏側に供給される種々の水により木質繊維板２の全体を速やかに保水状態とすることができる。
【００４８】
（パイプ溝）
図１〜図４に示すように、木質繊維板２の裏面にはパイプ溝４が形成され、この木質繊維板２裏面のパイプ溝４内には、木質繊維板２の内部に給水するための潅水パイプ７が収容されている。
【００４９】
図２及び図４に示すように、第１及び第２緑化ボード１Ａ，１Ｂの矩形状の木質繊維板２はいずれも第１〜第４の４辺Ｓ１〜Ｓ４を有し、第１緑化ボード１Ａの木質繊維板２においては、例えば図２に示すように、パイプ溝４は、一端が該木質繊維板２の第１辺Ｓ１の長さ方向略中央に接続されかつ他端が、第１辺Ｓ１に対向する第３辺Ｓ３に向かって木質繊維板２の四半分程度まで延びる第１溝部４ａと、一端が第１溝部４ａの他端に略直角に連続し、他端が木質繊維板２の第２辺Ｓ２側に向かって少し延びた後、第２辺Ｓ２近くにおいて向きを略１８０°変えて、第２辺Ｓ２に対向する第４辺Ｓ４に向かうように円弧状に湾曲する第１湾曲溝部４ｂと、一端が第１湾曲溝部４ｂの他端に連続し、他端が第１及び第３辺Ｓ１，Ｓ３間の中央位置を第４辺Ｓ４に向かって直線状に延びる直線溝部４ｃと、一端がこの直線溝部４ｃの他端に連続し、他端が第４辺Ｓ４近くにおいて向きを略１８０°変えて再度第２辺Ｓ２に向かうように円弧状に湾曲する第２湾曲溝部４ｄと、一端が第２湾曲部４ｄの他端に略直角に連続し、他端が第３辺Ｓ３側に向かって木質繊維板２の四半分程度延びる第２溝部４ｅとを備えている。
【００５０】
一方、第２緑化ボード１Ｂの木質繊維板２においては、例えば図４に示すように、パイプ溝４は、一端が矩形状の木質繊維板２の第１辺Ｓ１の長さ方向略中央に接続されかつ他端が第１辺Ｓ１に対向する第３辺Ｓ３に向かって木質繊維板２の四半分程度まで延びる第１溝部４ａと、一端が第１溝部４ａの他端に略直角に連続し、他端が木質繊維板２の第４辺Ｓ４側に向かって少し延びた後、その第４辺Ｓ４、上記第３辺Ｓ３、及び上記第４辺Ｓ４に対向する第２辺Ｓ２に順に近付くように円弧状に湾曲する円弧湾曲部４ｆと、一端がこの円弧湾曲部４ｆの他端に略直角に連続し、他端が第２辺Ｓ２に向かって延びる第２溝部４ｅとを備えている。
【００５１】
また、第１緑化ボード１Ａの木質繊維板２において、上記第１溝部４ａと第１湾曲溝部４ｂとの接続部、及び第２湾曲溝部４ｄと第２溝部４ｅとの接続部は上記のように略直角に曲がるように湾曲している。一方、第２緑化ボード１Ｂの木質繊維板２において、上記第１溝部４ａと円弧湾曲部４ｆとの接続部、及び該円弧湾曲部４ｆと第２溝部４ｅとの接続部も略直角に曲がるように湾曲している。この各接続部には、その接続部を湾曲外側に向かって拡げるようにパイプ溝４の溝幅を拡げた溝幅拡大部４ｇが形成されており、後述する潅水パイプ７の端部を木質繊維板２の辺Ｓ１，Ｓ３，Ｓ２の側端面から出没させるときに、その没入状態で木質繊維板２内に移動した潅水パイプ７の余剰部分を溝幅拡大部４ｇ内に収容して吸収し、潅水パイプ７が弛んで木質繊維板２の裏面から下側に突出しないようにしている。
【００５２】
さらに、第１緑化ボード１Ａの木質繊維板２のパイプ溝４における第２溝部４ｅの他端部、第２緑化ボード１Ｂの木質繊維板２のパイプ溝４における第２溝部４ｅの他端部には、それぞれ潅水パイプ７端部の後述する第１接続部８を収容するための接続部収容部４ｈが溝幅を辺Ｓ３，Ｓ２の端面から拡げるように形成されており、上記潅水パイプ７の端部を木質繊維板２の辺Ｓ３，Ｓ２の側端面に没入させるときに、該端部の第１接続部８を接続部収容部４ｈに収容した状態で没入させる。
【００５３】
（潅水パイプ）
上記第１及び第２緑化ボード１Ａ，１Ｂの各木質繊維板２には潅水パイプ７が組み付けられている。すなわち、各木質繊維板２裏面のパイプ溝４内には連続した１本の潅水パイプ７が収容されている。第１及び第２緑化ボード１Ａ，１Ｂのそれぞれのパイプ溝４，４に収容される潅水パイプ７，７は互いに長さのみが異なり、その他の構造は同じである。この潅水パイプ７はパイプ溝４に沿って湾曲するように可撓性を有するもので、その潅水パイプ７の壁部には微細孔からなる無数の給水孔（図示せず）が開口されており、潅水パイプ７の内部に流れる水を吸水孔からパイプ７外に滲み出るように吐出させることで、その吐出水をパイプ溝４内壁面に供給して、そのパイプ溝４壁面から木質繊維板２の内部に染み込ませるようにしている。その他、潅水パイプ７としては、点滴ドリップチューブを使用してもよい。
【００５４】
上記各潅水パイプ７の一端部には第１接続部８が、また他端部には第２接続部９がそれぞれ液密状態で一体的に取り付けられている。第１接続部８と第２接続部９とは、詳細に図示しないが、第１接続部８に第２接続部９を嵌合して液密状態に接続可能な構造であり、隣接する緑化ボード１，１の一方の第１接続部８に他方の緑化ボード１の第２接続部９を嵌合して両接続部８，９同士を液密状態に接続することで、両緑化ボード１，１の潅水パイプ７，７間で通水できるようになっている。
【００５５】
尚、木質繊維板２の表面に複数の表溝や表穴を形成してもよい。これにより、表面に育生される植物Ｐの根が表溝又は表穴に入り込むようになり、植物Ｐの木質繊維板２に対する活着が確実に行われる。また、表溝又は表穴に植物Ｐの種や肥料を入れることにより、所望の位置に確実に種や肥料を播種することが可能となる。
【００５６】
また、木質繊維板２の表面に複数の表溝を、また裏面に複数の裏溝をそれぞれ該表裏溝間で互いに連通するように形成して、木質繊維板２の表裏面に亘る貫通孔を設けることもできる。例えば木質繊維板２の表面に複数の表溝を互いに平行に配置して形成する一方、裏面には、同様に複数の裏溝を互いに平行にかつ表溝と交差するように配置して形成し、この表面側の複数の表溝と裏面側の裏溝とが交差する位置において、表裏溝間を互いに連通させることにより、木質繊維板２の表裏面で連通する貫通孔を形成する。或いは、木質繊維板２の表面及び裏面に連通する複数の貫通孔を設けることもできる。
【００５７】
こうして木質繊維板２に表裏面を貫通する貫通孔を形成することにより、木質繊維板２に対する植物Ｐの活着性を向上できるとともに、木質繊維板２自体に透水性を持たせることもできる。また、この木質繊維板２に表裏面を貫通する貫通孔により、屋外の緑化システムとして施工した場合、特に降雨時に緑化ボード１，１（木質繊維板２）の表面に溜まった水を貫通孔により確実に裏面側に抜くことができ、排水性に優れた緑化システムを提供することができる。また、表面に育生される植物Ｐの木質繊維板２に対する活着もより確実に行われる。
【００５８】
また、緑化ボード１の木質繊維板２の裏面に、その木質繊維板２の異なる２辺に連通する複数の裏溝のみを設けてもよい。すなわち、木質繊維板２の裏面に裏溝を、木質繊維板２の対向する２辺間に亘るように残りの辺と平行に形成するか、或いは、木質繊維板２の裏面に裏溝を、木質繊維板２の隣接する２辺間に亘るように斜めに平行に形成する。これにより、散水時等に緑化ボード１，１間の隙間から木質繊維板２の裏面に入り込んだ水や、木質繊維板２の表裏側に連通するように設けられた上記貫通孔から入り込んだ水を裏溝によって確実に木質繊維板２全体に行き渡らせることができる。また、降雨等により大量に水が供給された場合においても、速やかに水を排出することができる。
【００５９】
この貫通孔を設ける場合、さらに好ましくは、図示しないが、木質繊維板２に接するようにその裏面に保水シート又は透水シートを設けるのがよい。これにより、木質繊維板２の表面から供給された水が貫通孔を通って裏面側に到達し、さらに裏溝を伝って木質繊維板２の全面に供給されていく。このとき、隣り合う緑化ボード１，１同士の保水シート又は透水シートは互いに重なる様に施工されているのが望ましい。その理由は、保水シート又は透水シートの間に隙間がなくなり、保水シート又は透水シートの効果を有効利用できるからである。
【００６０】
上記保水シートは、木質繊維板２の裏面（下面）に設置されて、隣り合う緑化ボード１，１の木質繊維板２，２間の隙間を通過した水を木質繊維板２全体に均一に浸透できることを目的としている。完全に水を通し易いものでもよいし、水を通し難いものでもよい。緑化システムの排水性が悪くなるため、完全に水を通さないシートは使用することができない。
【００６１】
保水シートの直下に後述する防根シートがある場合、保水シートは水を透過又は保持する機能を有するシートが好ましく、例えば、０．２ｍｍ〜１ｍｍ程度の樹脂不織布や綿布等が好適に用いられる。これにより、隣り合う隣り合う緑化ボード１，１の木質繊維板２，２間の隙間を通過した水を木質繊維板２と防根シートとの間の保水シートを伝って木質繊維板２の裏面全体に行き渡らせることができる。
【００６２】
このような、水を透過又は保持する機能を有するシートとしては、植物Ｐと分別廃棄の必要がなく、燃やしても水と二酸化炭素しか発生しない例えばポリエステル樹脂、ＰＰ樹脂やＰＥ樹脂を用いるのが好ましい。このような材料としては、例えば東洋紡（株）の親水性不織布「ジャームガード」（商品名）等が挙げられる。
【００６３】
また、いわゆる生分解性プラスチックを用いてもよい。生分解性プラスチックとしては、微生物系のバイオポリエステル樹脂やバクテリアセルロース樹脂、天然物系のセルロース変性物、キトサン／セルロール変性物や酢酸セルロース変性物、化学合成系のポリ乳酸樹脂、ポリカプロラクトン樹脂、エチレンテレフタレート／サクシネート樹脂、ポリプチレンサクシネート樹脂等、１ヶ月〜１年程度で土壌で分解されるものが好ましい。このような材料としては、例えば旭化成繊維（株）の「ベンネット」（商品名）やシンワ（株）の「Ｈａｉｂｏｎ」（商品名）等が挙げられる。
【００６４】
透水シートとしては、透水耐根シートが最も好ましい。表面からの散水又は潅水パイプ７による潅水により供給された水が裏溝と透水シートとの間に移動し、木質繊維板２の裏面全体に水が拡散される。透水耐根透水シートとしては、一般的に市販されている耐根性を有し、透水性を有するものであればどのようなものでも使用することができるが、例えば厚さ０．１〜０．５ｍｍ程度の樹脂不織布や密に織られた樹脂織布、綿布等が用いられる。このような材料としては、例えば東洋紡（株）製の「コスモアングラス」（商品名）やスパンボンドポリエステル樹脂不織布「エコロベース透水シート」（商品名）等が挙げられる。
【００６５】
（緑化システム）
本発明の実施形態１に係る緑化システムは、図６〜図９に示すように、上記のように、木質繊維板２に潅水パイプ７を組み付けた複数の緑化ボード１，１，…が各々の木質繊維板２表面を上側（表側）にして縦横マトリクス状に並べられかつ木質繊維板２裏側（下側）の潅水パイプ７，７，…同士が互いに通水可能に連結されたものであり、その状態で複数の緑化ボード１，１，…が設置対象体１２（設置面）上に設置されている。
【００６６】
上記設置対象体１２とは、例えば建物の屋上を構成するコンクリートスラブ、建物の室内の床面や壁面、屋外駐車場の地面、道路の法面、切土や盛土の法面等である。
【００６７】
具体的には、図９に示すように、設置対象体１２上に耐根シート層１３を介して排水層１４が設けられ、その排水層１４上に透水耐根シート層１５を介して緑化ボード１，１，…が載置されている。
【００６８】
（耐根シート層）
上記耐根シート層１３は、設置対象体１２の表面に設置されている。耐根シート層１３は、厚みが０．６ｍｍ程度であり、例えばポリプロピレン樹脂（ＰＰ樹脂）によって構成されている。耐根シート層１３は、その他にも例えばポリエステル不織布や、塩化ビニル樹脂（ＰＶＣ樹脂）等の樹脂シート等の植物Ｐの根を通さないような材料によって構成することができる。
【００６９】
（排水層）
排水層１４は、耐根シート層１３の表面に設置されている。排水層１４は、耐根シート層１３の表面上で緑化システムの排水用の空間を確保するためのものである。排水層１４は、例えば東洋紡（株）の「コスモジオ」（登録商標）等の厚みが１０ｍｍ程度であるプラスチック網状成形体によって構成されている。また、プラスチック３次元立体成形体によって排水層１４を構成することも可能である。
【００７０】
プラスチック網状成形体とは、例えばナイロン、ポリプロプレン又は塩化ビニル等の剛性を有する０．５ｍｍ〜２ｍｍ程度の樹脂線材を、カールさせた状態で立体網目状に嵩高に絡めたもの、好ましくは線材接点が熱融着されたものである。また、プラスチック３次元立体成形体とは、ナイロン、ポリプロプレン又は塩化ビニル等の剛性を有する樹脂を、例えばインジェクションプレス等の成形方法により、波状、３次元網目状又はウェブ状に立体成形されたものである。プラスチック網状成形体及びプラスチック３次元立体成形体は、何れも空隙部を有しており、その空隙部によって排水が可能な樹脂成形排水マットとなっている。
【００７１】
プラスチックからなる網状成形体の他の例としては、例えば、新光ナイロン（株）の「ヘチマロン」（登録商標）等を挙げることができる。また、プラスチックからなる３次元立体成形体の例としては、例えば、ＥＬＭＩＣＨ社の「ＶｅｒｓｉＣｅｌｌ」（登録商標）や、複数のスペーサが一方向に突出して形成された板状の格子部材からなるプラスチック成形体等を挙げることができる。
【００７２】
排水層１４は、上記プラスチック網状成形体及びプラスチック３次元立体成形体以外にも、排水用の空間を確保できるような耐圧性を有するマット状の他の部材によって構成することが可能である。
【００７３】
（透水耐根シート層）
透水耐根シート層１５は、排水層１４の上に設置され、厚みが０．１ｍｍ程度である例えば東洋紡（株）の「コスモアングラス」（登録商標）等のポリエステル不織布によって構成されている。
【００７４】
透水耐根シート層１５は、水を透過させる一方、植物Ｐの根を通さないように構成されたシートである。透水耐根シート層１５は、緑化ボード１（木質繊維板２）の裏面に接触して設けられている。この透水耐根シート層１５を設けることにより、透水耐根シート層１５と緑化ボード１との間を適度に保水し、緑化ボード１の裏面側に水を供給することが可能になる。
【００７５】
一方、この透水耐根シート層１５を設けないと、緑化ボード１を通過した根が排水層１４に入り込んでしまう結果、分別廃棄が難しくなるだけでなく、排水層１４における排水不良を招く原因となる。また、植物Ｐが育成された植物育成層と排水層１４との分別も困難になる。
【００７６】
透水耐根シート層１５には、耐根性及び透水性を有する種々のシートを適用できる。例えば厚さ０．１ｍｍ〜０．５ｍｍ程度の樹脂不織布、密に織られた樹脂織布、又は綿布等を適用することが可能である。このような材料の他の例としては、例えばビルマテル（株）のスパンボンドポリエステル樹脂不織布である「エコロベース」（登録商標）等の透水シート等が挙げられる。
【００７７】
そして、図６及び図７に示すように、上記複数の緑化ボード１，１，…は、各々の木質繊維板２裏面の組み付けられている潅水パイプ７端部の接続部８，９を、隣り合う緑化ボード１の同潅水パイプ７端部の接続部９，８に接続することで通水状態で連結されている。具体的に一例を示すと、図７の右側下部に示すように、２つの第１緑化ボード１Ａ，１Ａを隣り合わせて並べ、その一方の緑化ボート１Ａの潅水パイプ７端部の第１接続部８に、他方の緑化ボート１Ａの潅水パイプ７端部の第２接続部９を嵌合することで、両緑化ボード１Ａ，１Ａの潅水パイプ７，７同士を端部の接続部８，９で接続して両潅水パイプ７，７を通水状態で連結する。このような連結を順に繰り返して複数の第１緑化ボード１Ａ，１Ａ，…を直列に接続することで、その潅水パイプ７，７，…も配列方向に通水可能に接続される。そして、このような配列の端部位置で、図７の右側上端部に示すように、潅水パイプ７の向きを配列方向から変える必要があるときには、第２緑化ボード１Ｂを用い、その潅水パイプ７端部の第２接続部９を上記配列端部に位置する第１緑化ボード１Ａの潅水パイプ７端部の第１接続部８に接続する。その隣にさらに第２緑化ボード１Ｂを配置し、その第２接続部９を隣接する第２緑化ボード１Ｂの第１接続部８に接続する。この第２緑化ボード１Ｂの隣でかつ最初の第１緑化ボード１Ａ，１Ａ，…の配列の隣に今度は第１緑化ボード１Ａを配置し、その第２接続部９を上記隣接する第２緑化ボード１Ｂの第１接続部８に接続し、以後は複数の第１緑化ボード１Ａ，１Ａ，…を順に最初の配列状態で接続する。
【００７８】
このような連結により、複数の緑化ボード１，１，…が各々の潅水パイプ７，７，…を直列に接続した状態でマトリクス状に連結される。尚、例えば図６で左下角部及び右上角部に位置する緑化ボード１，１は、緑化システムにおける潅水経路の出入口となっており、その潅水パイプ７，７端部の接続部８，９は図外の潅水装置に接続される。
【００７９】
図８及び図９に示すように、こうして設置された複数の緑化ボード１，１，…上に軽量土壌による土壌層１７が形成され、その土壌層１７に植物Ｐが植生されている。図９中、１８は各緑化ボード１，１間に充填された粒状物である。
【００８０】
（植物）
上記植物Ｐは、種の状態で表面に存在し、緑化ボード１の施工後に水遣りすることで育生させてもよいし、既に発芽して繁茂状態に育生されたものでもよい。植物Ｐとしては、上に人間が歩いたり運動したりすることを考慮すると芝草（芝）が最も好適である。例えば芝草であれば、その芝草をマット状に成形し、ロール状にした巻芝や、３００ｍｍ角程度の大きさに切った切芝を木質繊維板２上に直接載置してもよい。
【００８１】
上を人間が歩いたりしないことを前提とするなら、つる性植物や、その他の草花等でもよい。
【００８２】
また、植物Ｐは芝や他の植物に代えて苔を使用してもよい。その場合、苔は根がないため、剥がれ易いことから、特に緑化ボード１を載架する場合や、屋外で緑化ボード１を設置する場合等については、例えば表面を網状シートで覆い、網状シートと木質繊維板２とを固定一体化しておく等の配慮が必要である。
【００８３】
したがって、この実施形態においては、緑化システムを形成する複数の緑化ボード１，１，…の各々が木質繊維板２を備えているので、その木質繊維板２が保水している水分により、緑化ボード１の表面側において植物Ｐを生育することが可能になる。また、この植物Ｐの生育に伴い木質繊維板２に植物Ｐの根が絡んでいたとしても、その植物Ｐの根と共に木質繊維板２を燃焼して廃棄することができ、廃棄する際の環境への負荷が容易に低減される。
【００８４】
また、各木質繊維板２の裏面にパイプ溝４が形成され、そのパイプ溝４に、両端部に接続部８，９を有する潅水パイプ７が収容されていて、各緑化ボード１は木質繊維板２に潅水パイプ７を組み合わせたものとなっている。この潅水パイプ７端部の接続部８，９を隣り合う緑化ボード１の潅水パイプ７端部の接続部９，８と接続することで、両緑化ボード１，１同士が潅水パイプ７，７を通水状態で連結される。そのため、図６及び図７に示すように、複数の緑化ボード１，１，…を並べて設置し、それらに潅水するときには、各緑化ボード１に木質繊維板２のパイプ溝４に収容されて内有されている潅水パイプ７を、隣り合う緑化ボード１における同様の潅水パイプ７に両潅水パイプ７，７端部の接続部８，９で接続すれば、複数の緑化ボード１，１，…の潅水パイプ７，７，…が一連に連続することとなり、その連続した潅水パイプ７，７，…に通水することで、各緑化ボード１の木質繊維板２内に給水される。このことで、最小限の数の潅水装置で複数の緑化ボード１，１，…を潅水することができ、潅水システムがコンパクトになる。
【００８５】
しかも、潅水パイプ７は木質繊維板２の裏面に形成したパイプ溝４内に収容され、その端部の接続部８，９のみが木質繊維板２の外に露出するので、緑化ボード１の表側から潅水パイプ７が隠蔽され、外観見映えを高めることができる。
【００８６】
さらに、各緑化ボード１毎に潅水パイプ７が木質繊維板２のパイプ溝４に収容された状態で具備され、それらを接続するだけで潅水システムができ上がるので、その施工が容易になる。
【００８７】
（緑化ボードの変形例）
図１０及び図１１に示すように、上記各緑化ボード１における木質繊維板２の裏面に、そのパイプ溝４を通りかつ木質繊維板２の異なる２辺に連通する連通溝６を設けてもよい。
【００８８】
具体的に、これらの図に示される例では、第１緑化ボード１Ａにおいて、その木質繊維板２の裏面に２条の連通溝６，６が、木質繊維板２の対向する２辺Ｓ１，Ｓ３間（２辺Ｓ２，Ｓ４間であってもよい）に亘りかつ残りの２辺Ｓ２，Ｓ４（２辺Ｓ１，Ｓ３であってもよい）と平行に延びるように形成され、この各連通溝６は途中でパイプ溝４の湾曲溝部４ｂ，４ｄと２回交差した状態で該パイプ溝４に連通している。
【００８９】
尚、連通溝６は、木質繊維板２の隣接する例えば２辺Ｓ１，Ｓ２間及び２辺Ｓ３，Ｓ４間（２辺Ｓ１，Ｓ４間及び２辺Ｓ２，Ｓ３間であってもよい）に亘って互いに平行に各辺Ｓ１〜Ｓ４に対し斜めに延びるように形成してもよい。連通溝６は曲線状のものであってもよく、その数も１条又は３条以上でもよい。
【００９０】
こうすることで、木質繊維板２の裏面の連通溝６は同じ裏面に位置するパイプ溝４を通っているので、潅水パイプ７からパイプ溝４内に供給された水がパイプ溝４だけでなく連通溝６にも流れるようになり、その水は連通溝６から木質繊維板２の各辺Ｓ１〜Ｓ４に開口する連通溝６の側端部に案内される。この場合、木質繊維板２の裏面に上記した親水層２ａを形成しておけば、木質繊維板２の裏面側を速やかに保水することができ、よって木質繊維板２の裏面側から水を十分に供給して、その保水性を大幅に高めることが可能となる。
【００９１】
［実施形態２］
（緑化ボード）
図１２〜図１５は実施形態２を示し（尚、実施形態１と同じ部分については同じ符号を付してその詳細な説明を省略する）、木質繊維板２に形成されるパイプ溝４の位置、その内部に収容される潅水パイプ７の形状等を変えたものである。
【００９２】
すなわち、この実施形態では、上記実施形態１とは異なり、各緑化ボード１における木質繊維板２の表面にパイプ溝４が形成されている。また、緑化ボード１は実施形態１と同様に第１及び第２の２種類の緑化ボード１Ａ，１Ｂがあり、これらは木質繊維板２表面のパイプ溝４の配置形状が異なっている。すなわち、第１緑化ボード１Ａにおいては、例えば図１２及び図１３に示すように、木質繊維板２表面のパイプ溝４は、一端が矩形状の木質繊維板２の第１辺Ｓ１の長さ方向略中央に接続されかつ他端が、第１辺Ｓ１に対向する第３辺Ｓ３まで木質繊維板２の全体を延びたものである。
【００９３】
一方、第２緑化ボード１Ｂにおいては、例えば図１４及び図１５に示すように、木質繊維板２表面のパイプ溝４は、一端が矩形状の木質繊維板２の第１辺Ｓ１の長さ方向略中央に接続されかつ他端が、第１辺Ｓ１に対向する第３辺Ｓ３に向かって木質繊維板２の半分程度まで直線状に延びる第１直溝部４ｉと、一端が第１直溝部４ｉの他端に略直角に連続し、他端が木質繊維板２の第４辺Ｓ４に向かって該第４辺Ｓ４まで直線状に延びる第２直溝部４ｊと、一端が第１直溝部４ｉの他端（第２直溝部４ｊとの接続部）に略直角に連続し、他端が木質繊維板２の第４辺Ｓ４と対向する第２辺Ｓ２に向かって該第２辺Ｓ２まで直線状に延びる第３直溝部４ｋとを備え、第１〜第３直溝部４ｉ〜４ｋはいずれも略同じ長さを有する。そして、第２直溝部４ｊ及び第３直溝部４ｋ同士は連続して一直線状に延び、第２直溝部４ｊの他端部及び第３直溝部４ｋの他端部にはそれぞれ接続部収容部４ｈ，４ｈが形成されている。
【００９４】
そして、潅水パイプ７も第１及び第２緑化ボード１Ａ，１Ｂに合わせて２種類があり、第１緑化ボード１Ａの木質繊維板２表面のパイプ溝４に収容される潅水パイプ７は、該パイプ溝４と同じ長さのもので、その一端部に第２接続部９が、また他端に第１接続部８がそれぞれ取り付けられている。
【００９５】
第２緑化ボード１Ｂの木質繊維板２表面のパイプ溝４に収容される潅水パイプ７は、一端に第２接続部９を有しかつ上記第１直溝部４ｉに収容される第１パイプ部７ａと、一端がこの第１パイプ部７ａの他端部に連結部７ｃを介して通水可能に接続され、上記第２直溝部４ｊ又は第３直溝部４ｋに収容される第２パイプ部７ｂとからなり、この第２パイプ部７ｂの他端部に第１接続部８が取り付けられている。図１４に示すように、第２パイプ部７ｂは第１パイプ部７ａを回動軸心としてその回りに回動可能とされており、この回動により第２パイプ部７ｂは第２直溝部４ｉ又は第３直溝部４ｋのいずれか一方に選択的に収容されるようになっている。その他の構成は実施形態１と同様である。尚、この場合も、木質繊維板２の表面に親水層２ａを形成しておけば、木質繊維板２の表面側を速やかに保水することができる。
【００９６】
（緑化システム）
この実施形態２においても、緑化システムは、複数の緑化ボード１，１，…が各々の木質繊維板２表面を上側（表側）にして縦横マトリクス状に並べられかつ隣り合う緑化ボード１，１の木質繊維板２，２表側の潅水パイプ７，７同士が互いに通水可能に連結され、その状態で複数の緑化ボード１，１，…は設置対象体１２（設置面）上に設置されている。
【００９７】
すなわち、例えば、複数の第１緑化ボード１Ａ，１Ａ，…を直列に各々の第１タイプの潅水パイプ７，７，…が一直線状になるように並べ、隣接する両緑化ボード１，１の一方の第１接続部８に他方の緑化ボード１の第２接続部９を接続して両者の潅水パイプ７，７同士を通水可能に連結する。また、設置スペースの角部等で潅水方向を変えるときには、第１緑化ボード１Ａの隣に第２緑化ボード１Ｂを設置し、両方の接続部８，９同士を接続する。
【００９８】
その際、第２緑化ボード１Ｂの木質繊維板２表面には第２直溝部４ｊ及び第３直溝部４ｋが形成され、潅水パイプ７の第２パイプ部７ｂは第１パイプ部７ａを回動軸心として回動可能であるので、緑化ボード１，１，…の潅水方向に応じて適宜に第２パイプ部７ｂを図１４矢印にて示すように回動させて第２直溝部４ｊ又は第３直溝部４ｋの一方に収容するように選択すればよく、緑化ボード１，１，…の設置が容易となる。
【００９９】
このように複数の緑化ボード１，１，…が敷き詰められて設置された後、実施形態１と同様に、その緑化ボード１，１，…の各木質繊維板２の上に軽量土壌の土壌層１７が形成され、その土壌層１７に植物Ｐが植生される。従って、この実施形態においても実施形態１と同様の作用効果を奏することができる。
【０１００】
（緑化システムの変形例）
尚、この緑化システムにおいて、上記のように緑化ボード１，１，…の上に軽量土壌の土壌層１７を形成して、その土壌層１７に植物Ｐを植生するのに代え、図１６（図９をベースに作成する）に示すように、各緑化ボード１の表面にパイプ保護シートを載置してパイプ保護シート層２０を設け、そのパイプ保護シート層２０の表面に直接植物Ｐを植生するようにしてもよい。
【０１０１】
上記パイプ保護シート層２０となるパイプ保護シートは、潅水パイプ７上に植物Ｐが育成できかつ保水機能がある材料が好適に用いられ、例えば樹脂不織布や樹脂織布が好適に用いられる。また、植物Ｐと分別して廃棄する必要がなく、燃やしても水と二酸化炭素しか発生しない例えばＰＰ樹脂やＰＥ樹脂を用いるのが好ましい。また、いわゆる生分解性プラスチックを用いるのも好ましい。生分解性プラスチックとしては、微生物系のバイオポリエステル樹脂やバクテリアセルロース樹脂、天然物系のセルロース変性物、キトサン／セルロール変性物や酢酸セルロース変性物、化学合成系のポリ乳酸樹脂、ポリカプロラクトン樹脂、エチレンテレフタレート／サクシネート樹脂、ポリプチレンサクシネート樹脂等であり、１ヶ月〜１年程度で土壌で分解されるものが好ましい。このような材料としては、例えば旭化成繊維（株）製の商品名「ベンネット」、シンワ（株）製の商品名「Ｈａｉｂｏｎ」等が挙げられる。
【０１０２】
こうすれば、各緑化ボード１表面上のパイプ保護シート層２０の表面に直接植物Ｐが植生されているので、表面に植物Ｐが植生したパイプ保護シート層２０が配置され、その下側に保水用の木質繊維板２が設けられていて、潅水システムの簡略な緑化システムが得られる。
【０１０３】
［その他の実施形態］
尚、上記実施形態１に係る緑化システムにおいて、緑化ボード１，１，…の上に土壌層１７を形成するのに代えて、各緑化ボード１の木質繊維板２の表面に直接植物Ｐを植生するようにしてもよい。このように、各緑化ボード１の木質繊維板２の表面に直接植物Ｐを植生させることで、表面に植物Ｐが植生されかつ裏面に潅水パイプ７が配置された木質繊維板２を有する、潅水システムの簡略な緑化システムが得られる。また、木質繊維板２自体に植物Ｐが植生するので、土壌層１７等が不要であり、軽量な緑化システムとなる。
【産業上の利用可能性】
【０１０４】
本発明は、最小限の数の潅水装置で複数の緑化ボードを潅水することができ、潅水システムのコンパクト化及びその施工の容易化を図ることができるので、極めて有用であり、産業上の利用可能性が高い。
【符号の説明】
【０１０５】
Ｐ  植物
１，１Ａ，１Ｂ  緑化ボード
２  木質繊維板
４  パイプ溝
４ｇ  溝幅拡大部
４ｈ  接続部収容部
６  連通溝
７  潅水パイプ
８  第１接続部
９  第２接続部
１２  設置対象体
１７  土壌層
２０  パイプ保護シート層
【図１】
2012223158.tif 000003
【図２】
2012223158.tif 000004
【図３】
2012223158.tif 000005
【図４】
2012223158.tif 000006
【図５】
2012223158.tif 000007
【図６】
2012223158.tif 000008
【図７】
2012223158.tif 000009
【図８】
2012223158.tif 000010
【図９】
2012223158.tif 000011
【図１０】
2012223158.tif 000012
【図１１】
2012223158.tif 000013
【図１２】
2012223158.tif 000014
【図１３】
2012223158.tif 000015
【図１４】
2012223158.tif 000016
【図１５】
2012223158.tif 000017
【図１６】
2012223158.tif 000018